(57)【要約】【課題】冷蔵室と冷凍室にそれぞれ蒸発器を有する冷蔵庫において、省電力化を図りながら、冷蔵室用蒸発器からの除霜水の排水信頼性を高める。【解決手段】圧縮機１２で圧縮された冷媒を凝縮する凝縮器の一部を構成する放熱パイプ１３は、冷蔵庫背面外板の発泡断熱材５側に配設され、左右略中央部の上下方向にターン部１３ａを有し、ターン部１３ａの近傍にドレンホース９の入口を位置させることにより、放熱パイプ１３の熱をドレンホース９に有効に伝えることができるので、ヒータ等を使用せずに着霜、氷結を防止でき、除霜信頼性が向上する。また、ヒータ等の電気的加熱源を用いないので、省電力化を図ることができる。【選択図】図２
2005156105.tif 000002
【特許請求の範囲】
【請求項１】
内箱と外箱間に発泡断熱材を充填した断熱箱体と、圧縮機と、凝縮器と、冷蔵室を冷却するための冷蔵室用蒸発器と、冷凍室を冷却するための冷凍室用蒸発器と、庫内の冷却を制御する制御基板と、前記冷蔵室用蒸発器の除霜水を庫外に排水するドレンホースとを有し、断熱箱体内に形成する前記冷蔵室を前記冷凍室より上方に配置した冷蔵庫において、前記凝縮器の一部を構成する放熱パイプを冷蔵庫背面外板の発泡断熱材側に、ドレンホースを発泡断熱材内に配置するとともに、前記放熱パイプを前記ドレンホースの入口部近傍に配設したことを特徴とする冷蔵庫。
【請求項２】
放熱パイプはターン部を有し、前記ターン部と前記ドレンホースの入口部を近接させたことを特徴とする請求項１に記載の冷蔵庫。
【請求項３】
ドレンホースの入口部を冷蔵庫背面端部近傍に設けたことを特徴とする請求項１に記載の冷蔵庫。
【請求項４】
内箱とドレンホースの間にスペーサを設けることを特徴とする請求項１から請求項３のいずれか一項に記載の冷蔵庫。
【請求項５】
冷蔵室用蒸発器の除霜は、ヒータを用いずに、蒸発器に冷媒を流さない時に行なうオフサイクルデフロストとしたことを特徴とする請求項１から請求項４のいずれか一項に記載の冷蔵庫。
【請求項６】
庫内の冷却を制御する制御基板の投影面内に前記ドレンホースを配置したことを特徴とする請求項１から請求項５のいずれか一項に記載の冷蔵庫。
【発明の詳細な説明】
【技術分野】
【０００１】
本発明は、冷蔵室と冷凍室を有する冷蔵庫における冷蔵室用蒸発器の除霜水を庫外へ排出する構造に関するものである。
【背景技術】
【０００２】
従来の冷蔵庫においては、冷蔵室用蒸発器の除霜水の排水経路は、冷蔵室用蒸発器の下方に位置する除霜水受皿へ落下して流出口からドレンホースへ流入し、圧縮機上段に設けられた蒸発皿へ排出される。しかしながら、発泡断熱材内部に設けられたドレンホースは冷凍室庫内からの冷気により、ドレンホース内に着霜が生じることが問題であった。そこで、発泡断熱材内部において、ドレンホースをできるだけ外側に設けることによって、そして、大型の間冷式冷蔵庫では、ドレンホース周りにヒータを設けることによって、ドレンホース内の除霜を行っている。（例えば、特許文献１参照）
図５および図６は特許文献１に記載された従来の冷蔵庫を示す。図５および図６に示すように、冷蔵室１００と冷凍室１０１とが上下に区画形成され、キャビネット１０２と、前記冷蔵室１００を形成する内箱１０３と、前記キャビネット１０２と前記内箱１０３との間に充填された断熱材１０４と、前記冷蔵室１００の背面に配設された冷蔵室用蒸発器１０５と、前記冷凍室１０１の背面に配設された冷凍室用蒸発器１０６と、除霜水受皿１０７と、前記断熱材１０４に埋設されているドレンホース１０８と、前記ドレンホース１０８を覆うヒータ１０９と、蒸発皿１１０と、圧縮機１１１、放熱パイプ１１２、制御基板１１３から構成されている。
【特許文献１】特開平１１−２３７１６４号公報
【発明の開示】
【発明が解決しようとする課題】
【０００３】
しかしながら、上記従来の構成では、外気温度が低温時においては、外気から十分な熱伝達が得られないため、ドレンホース内部における着霜の原因となっている。そこで近年、ドレンホース内の着霜防止のため、冷蔵室用蒸発器の近傍に設けた除霜用ヒータの熱を利用して、その熱を伝えるアルミ等の熱良導体製のドレンホースを配設している。しかしながら、熱良導体製のホースは、高価であり、重量も増えるという欠点があった。また、大型の間冷式冷蔵庫では、ドレンホースを覆うヒータの使用は、従来以上の電力を浪費してしまい、省電力化に取組まれていないという課題を有していた。
【０００４】
本発明は、上記従来の課題を解決するもので、安価で省電力化を図った冷蔵庫を提供することを目的とする。
【課題を解決するための手段】
【０００５】
上記従来の課題を解決するために、本発明の冷蔵庫は、内箱と外箱間に発泡断熱材を充填した断熱箱体と、圧縮機と、凝縮器と、冷蔵室を冷却するための冷蔵室用蒸発器と、冷凍室を冷却するための冷凍室用蒸発器と、庫内の冷却を制御する制御基板と、前記冷蔵室用蒸発器の除霜水を庫外に排水するドレンホースとを有し、断熱箱体内に形成する前記冷蔵室を前記冷凍室より上方に配置した冷蔵庫において、前記凝縮器の一部を構成する放熱パイプを冷蔵庫背面外板の発泡断熱材側に、ドレンホースを発泡断熱材内に配置するとともに、前記放熱パイプを前記ドレンホースの入口部近傍に配設したものである。
【０００６】
これによって、凝縮器の一部を構成する放熱パイプからの熱がドレンホースに伝達し、ドレンホース内の着霜を防ぐことができる。
【発明の効果】
【０００７】
本発明の冷蔵庫は、ヒータを使用せずドレンホースへの着霜、凍結を防止できるので、省電力化を図ることができる。
【発明を実施するための最良の形態】
【０００８】
請求項１に記載の発明は、内箱と外箱間に発泡断熱材を充填した断熱箱体と、圧縮機と、凝縮器と、冷蔵室を冷却するための冷蔵室用蒸発器と、冷凍室を冷却するための冷凍室用蒸発器と、庫内の冷却を制御する制御基板と、前記冷蔵室用蒸発器の除霜水を庫外に排水するドレンホースとを有し、断熱箱体内に形成する前記冷蔵室を前記冷凍室より上方に配置した冷蔵庫において、前記凝縮器の一部を構成する放熱パイプを冷蔵庫背面外板の発泡断熱材側に、ドレンホースを発泡断熱材内に配置するとともに、前記放熱パイプをドレンホース入口付近に配設することにより、ドレンホース内への熱伝達量が増加し、着霜を防ぎ、ヒータを使用しないので省電力化を図ることができる。
【０００９】
請求項２に記載の発明は、請求項１に記載の発明において、放熱パイプにターン部を施し、前記ターン部とドレンホースの入口部を近接させることにより、放熱能力を高めながら、ターン部を利用しドレンホースへの熱伝達を効率的に高めることで着霜、氷結を防ぐことができる。また、ヒータを使用しないので、省電力化を図ることができる。また、凝縮器の放熱能力の向上により、冷蔵庫の運転率が減少し、省電力化を図ることができる。
【００１０】
請求項３に記載の発明は、請求項１に記載の発明において、ドレンホースを冷蔵庫背面端部に配設することにより、ドレンホースは中央部に配置するより冷凍室からの冷却を抑えることができるので、効率的にドレンホース内の着霜、氷結を防ぐことができる。
【００１１】
請求項４に記載の発明は、請求項１から３のいずれか一項に記載の発明において、内箱とドレンホースの間にスペーサを設けることにより、ドレンホースを確実に冷蔵庫背面外板側に位置決めでき、組立て時のばらつきがなくなり、冷凍室からの冷却の影響を最小限に抑えることができる。
【００１２】
請求項５に記載の発明は、請求項１から４のいずれか一項に記載の発明において、冷蔵室用蒸発器の除霜は、ヒータを用いずに、蒸発器に冷媒を流さない時に行なうオフサイクルデフロストとしたものであり、蒸発器の除霜はヒータを用いないので除霜水を排水するドレンホース周辺は、ヒータを用いるものに比べて低温になりやすいが、冷蔵庫背面外板に配設する放熱パイプをドレンホースの入口部近傍に設けることにより、ヒータを用いずドレンホース内の着霜、氷結を防ぐことができる。さらに、オフサイクルデフロストのものに適用することで急激な除霜による着霜、氷結塊の落下がなく、ドレンホース内の詰まりも生じにくく、排水信頼性が高まる。
【００１３】
請求項６に記載の発明は、請求項１から５のいずれか一項に記載の発明において、庫内の冷却を制御する制御基板の投影面内にドレンホースを配置することにより、制御基板の発熱の有効利用が可能となり、さらにドレンホース内の温度が上昇し、確実に着霜を防ぐことができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の断面図を示すものである。図２は同実施の形態冷蔵庫の背面図を示すものである。
【００１６】
図１において、冷蔵室１と冷凍室２とが上下に区画形成され、冷蔵室１が冷凍室２よりも上方に配置している。キャビネット３と内箱４との間には断熱材５が充填、発泡されており、冷蔵室１の背面には冷蔵室用蒸発器６配設され、冷凍室２の背面には冷凍室用蒸発器７が配設されている。そして、冷蔵室用蒸発器６の下方の除霜水受皿８はドレンホース９と連接し、ドレンホース９の出口側は圧縮機１２の上部に備えた蒸発皿１１に臨んでいる。なお、ドレンホース９は発泡断熱材５内の冷蔵庫背面外板側に配設している。
【００１７】
また、圧縮機１２で圧縮された冷媒を凝縮する凝縮器の一部を構成する放熱パイプ１３は、冷蔵庫背面外板の発泡断熱材５側に配設され、左右略中央部の上下方向にターン部１３ａを有し、ターン部１３ａの近傍にドレンホース９の入口を位置させている。
【００１８】
また、ドレンホース９と内箱４との間にはスペーサ１０を設け、発泡断熱材５内の冷蔵庫背面外板側への位置決めを強化している。
【００１９】
また、庫内の冷却を制御する制御基板１４を冷蔵庫背面外板の凹部（図示せず）に収納し、ドレンホース９を制御基板１４の投影面内の略中央部を通過するように配置している。
【００２０】
また、冷蔵室用蒸発器６の除霜は、ヒータを用いずに、蒸発器に冷媒を流さない時に行なうオフサイクルデフロスト方式としている。
【００２１】
以上のように構成された冷蔵庫について、以下その動作、作用を説明する。
【００２２】
冷蔵室１および冷凍室２は、冷蔵室用蒸発器６および冷凍室用蒸発器７の冷却作用によりそれぞれ所定の温度に冷却制御される。そして、圧縮機の運転時間を制御基板１４内のマイコンによりカウントし、所定の時間毎にデフロスト（除霜）を行なう。冷蔵室用蒸発器６からの除霜水は、冷蔵室用蒸発器６の下方の除霜水受皿８からドレンホース９を通り圧縮機１２の上部に備えた蒸発皿１１に貯められ圧縮機１２の熱を利用し蒸発する。
【００２３】
ここで、圧縮機１２で圧縮された冷媒を凝縮する凝縮器の一部を構成する放熱パイプ１３は、冷蔵庫背面外板の発泡断熱材５側に配設され、左右略中央部の上下方向にターン部１３ａを有し、ターン部１３ａの近傍にドレンホース９の入口を位置させているので、放熱パイプ１３の熱をドレンホース９に有効に伝えることができるので、ヒータ等を使用せずに着霜、氷結を防止でき、除霜信頼性が向上する。また、ヒータ等の電気的加熱源を用いないので、省電力化を図ることができる。
【００２４】
また、放熱パイプ１３にターン部１３ａを施し、ターン部１３ａとドレンホース９の入口部を近接させることにより、放熱能力を高めながら、ターン部１３ａの熱をターン形状にすることで直線的な配置よりも有効に利用でき、ドレンホースへの熱伝達を効率的に高めることで着霜、氷結を確実に防ぐことができる。
【００２５】
また、ドレンホース９と内箱４との間にはスペーサ１０を設け、発泡断熱材５内の冷蔵庫背面外板側への位置決めを強化しているので、ドレンホース９を確実に冷蔵庫背面外板側に位置決めでき、組立て時のばらつきがなくなり、冷凍室２からの冷却の影響を最小限に抑えることができる。
【００２６】
また、冷蔵室用蒸発器６の除霜は、ヒータを用いずに、蒸発器に冷媒を流さない時に行なうオフサイクルデフロスト方式としたものであり、蒸発器の除霜時はヒータを用いないので除霜水を排水するドレンホース９周辺は、ヒータを用いるものに比べて低温になりやすいが、冷蔵庫背面外板に配設する放熱パイプをドレンホースの入口部近傍に設けることにより、ヒータを用いずドレンホース内の着霜、氷結を防ぐことができる。さらに、オフサイクルデフロストのものに適用することで急激な除霜による着霜、氷結塊の落下がなく、ドレンホース内の詰まりも生じにくく、排水信頼性が高まる。また、オフサイクルデフロスト方式とすることで、除霜水の水分を冷蔵室１内に還元でき、冷蔵室１内を高湿にすることができ、保存食品の乾燥を防止できる。
【００２７】
また、庫内の冷却を制御する制御基板１４を冷蔵庫背面外板の凹部（図示せず）に収納し、ドレンホース９を制御基板１４の投影面内の略中央部を通過するように配置しているので、制御基板１４の発熱の有効利用が可能となり、さらにドレンホース９内の温度が上昇し、確実に着霜を防ぐことができる。
【００２８】
なお、冷蔵室用蒸発器６は直接冷却式のプレート状のものでもよい。この場合、冷蔵室冷却用ファンが必要なく、低コスト化をはかることができる。
【００２９】
（実施の形態２）
図３は、本発明の実施の形態２における冷蔵庫の背面図を示すものである。図４は同実施例の上面図を示すものである。なお、実施の形態１と同様の構成については説明を省略する。
【００３０】
図３，４において、ドレンホース１５は、冷蔵庫背面外板端部近傍の発泡断熱材５側に配設され、圧縮機１２で圧縮された冷媒を凝縮する凝縮器の一部を構成する放熱パイプ１３はドレンホース１５の近傍に併設している。そして、圧縮機１２および圧縮機１２の上部に備えた蒸発皿１１も、ドレンホース１５を配設した側に中央からずらして配置している。
【００３１】
上記構成により、ドレンホース１５は中央部に配置するより冷凍室２からの冷却を抑えることができるので、効率的にドレンホース１５内の着霜、氷結を防ぐことができる。また、ドレンホース１５を冷蔵庫背面端部に配設することにより側壁面の断熱材との相乗効果により、中央部に配置した場合よりドレンホース１５への冷熱の影響を抑えることができ、放熱パイプ１３の熱を有効に利用することができる。
【産業上の利用可能性】
【００３２】
以上のように、本発明にかかる冷蔵庫は、ドレンホース内の熱伝達量が増加し、ヒータを使用しないことにより、そして、放熱パイプの熱交換効率の向上により、省電力化が可能となるので、ペルチェ式冷蔵庫等の用途にも適用できる。
【図面の簡単な説明】
【００３３】
【図１】本発明の実施の形態１における冷蔵庫の断面図
【図２】本発明の実施の形態１における冷蔵庫の背面図
【図３】本発明の実施の形態２における冷蔵庫の背面図
【図４】本発明の実施の形態２における冷蔵庫の上面図
【図５】従来の冷蔵庫の断面図
【図６】従来の冷蔵庫の背面図
【符号の説明】
【００３４】
１    冷蔵室
２    冷凍室
３    キャビネット
４    内箱
５    発泡断熱材
６    冷蔵室用蒸発器
７    冷凍室用蒸発器
８    除霜水受皿
９、１５    ドレンホース
１０    スペーサ
１１    蒸発皿
１２    圧縮機
１３    放熱パイプ
１３ａ    ターン部
１４    制御基板
【図１】
2005156105.tif 000003
【図２】
2005156105.tif 000004
【図３】
2005156105.tif 000005
【図４】
2005156105.tif 000006
【図５】
2005156105.tif 000007
【図６】
2005156105.tif 000008